(57)【要約】【課題】高電圧の電源供給に用いられるコネクタを提供する。【解決手段】電源と、電子機器とを接続するための雌コネクタと接続する雄コネクタであって、雄コネクタは、電力供給を受けるための導体からなる２本の電力用プラグ端子と、導体からなる１本の制御用プラグ端子を有し、制御用プラグ端子は、差込方向に伸縮可能であり、雌コネクタは、２本の電力用プラグ端子の各々対応する２つの電力用ジャック端子と、制御用プラグ端子に対応する制御用ジャック端子と、リレーを有しており、リレーは、制御用ジャック端子と接続されており、制御用プラグ端子を差込方向に伸すことにより前記リレーが動作し、電力用プラグ端子と電力用ジャック端子を介し、前記電子機器に電力が供給されるものであることを特徴とする雄コネクタを提供することにより上記課題を解決する。【選択図】  図１
2010056056.tif 000002
【特許請求の範囲】
【請求項１】
電源と、前記電源から電力の供給を受ける電子機器とを電気的に接続するための雌コネクタと接続する雄コネクタであって、
前記雄コネクタは、前記電子機器に接続されており、前記電力供給を受けるための導体からなる２本の電力用プラグ端子と、１本の制御用プラグ端子を有し、前記制御用プラグ端子は、差込方向に伸縮可能であり、
前記雌コネクタは、前記電源に接続されており、前記２本の電力用プラグ端子の各々対応する２つの電力用ジャック端子と、前記制御用プラグ端子に対応する制御用ジャック端子と、リレーを有しており、
前記リレーは、前記制御用ジャック端子と接続されており、
前記制御用プラグ端子を差込方向に伸すことにより前記リレーが動作し、前記電力用プラグ端子と前記電力用ジャック端子を介し、前記電子機器に電力が供給されるものであることを特徴とする雄コネクタ。
【請求項２】
前記制御プラグ端子の差込方向の伸縮は、スライドスイッチ、または、押ボタンスイッチにより行われるものであることを特徴とする請求項１に記載の雄コネクタ。
【請求項３】
制御プラグ端子リンクを介し前記制御プラグ端子の差込方向の伸縮を行うためのスライドスイッチと、伸縮可能なコイルバネと、を有し、
前記スライドスイッチの移動方向と前記コイルバネの伸縮方向とが垂直となる中立状態となるものであって、
前記スライドスイッチを移動させることにより、前記コイルバネを伸縮させるものであることを特徴とする請求項１に記載の雄コネクタ。
【請求項４】
前記中立状態において、前記コイルバネは伸びた状態又は縮んだ状態にあり、
前記中立状態より、前記コイルバネの復元力により、前記制御プラグ端子は前記制御プラグ端子リンクを介し、前記差込方向に対し伸びるものであることを特徴とする請求項３に記載の雄コネクタ。
【請求項５】
前記中立状態において、前記コイルバネは伸びた状態又は縮んだ状態にあり、
前記中立状態より、前記コイルバネの復元力により、前記制御プラグ端子は前記制御プラグ端子リンクを介し、前記差込方向に対し縮むものであることを特徴とする請求項３に記載の雄コネクタ。
【請求項６】
前記雄コネクタには、前記制御用プラグ端子の差込方向の伸縮に対応して、前記差込方向に垂直に突出するロック端子が設けられており、
前記ロック端子は、前記プラグ端子を前記差込方向に伸すことにより、前記差込方向に垂直に突出し、
前記雌コネクタには、前記突出したロック端子に対応した形状の凹状部が設けられており、
前記雄コネクタと雌コネクタとを嵌合した状態で、前記制御用プラグ端子を伸すことにより、前記雌コネクタの凹状部に前記ロック端子が前記差込方向に垂直に嵌入し、前記雄コネクタと前記雌コネクタとの嵌合状態が維持されるものであることを特徴とする請求項１から５のいずれかに記載の雄コネクタ。
【請求項７】
前記雄コネクタには接地用プラグ端子が設けられており、
前記雌コネクタには、前記接地用プラグ端子に対応した接地用ジャック端子が設けられおり、
前記雌コネクタと雄コネクタとが嵌合した状態においては、前記接地用プラグ端子と前記接地用ジャック端子とは嵌合した状態にあることを特徴とする請求項１から６のいずれかに記載の雄コネクタ。
【請求項８】
前記電源より供給される電力は、直流であることを特徴とする請求項１から７のいずれかに記載の雄コネクタ。
【請求項９】
前記電源より供給される電力の電圧は、４８Ｖを超える電圧であることを特徴とする請求項１から８のいずれかに記載の雄コネクタ。
【請求項１０】
電源と、前記電源から電力の供給を受ける電子機器とを電気的に接続するための雄コネクタと接続する雌コネクタであって、
前記雄コネクタは、前記電子機器に接続されており、前記電力供給を受けるための導体からなる２本の電力用プラグ端子と、１本の制御用プラグ端子を有し、前記制御用プラグ端子は、差込方向に伸縮可能であり、
前記雌コネクタは、前記電源に接続されており、前記２本の電力用プラグ端子の各々対応する２つの電力用ジャック端子と、前記制御用プラグ端子に対応する制御用ジャック端子と、リレーを有しており、
前記リレーは、前記制御用ジャック端子と接続されており、
前記制御用プラグ端子を差込方向に伸すことにより、前記電力用プラグ端子と前記電力用ジャック端子を介し、前記リレーが動作し前記電子機器に電力が供給されるものであることを特徴とする雌コネクタ。
【請求項１１】
電源と、前記電源から電力の供給を受ける電子機器とを電気的に接続するための雄コネクタと接続する雌コネクタであって、
前記雄コネクタは、前記電子機器に接続されており、前記電力供給を受けるための導体からなる２本の電力用プラグ端子と、１本の制御用プラグ端子を有し、前記制御用プラグ端子は、差込方向に伸縮可能であり、
前記雌コネクタは、前記電源に接続されており、前記２本の電力用プラグ端子の各々対応する２つの電力用ジャック端子と、前記制御用プラグ端子に対応する制御用ジャック端子と、リレーを有しており、
前記リレーは、少なくとも１つのコイルと２つのリレー接点からなるものであり、前記コイルに電流が流れることにより前記２つのリレー接点が同時に接続されるものであり、
前記２つの電力用ジャック端子の各々に対応し、前記２つのリレー接点がそれぞれ接続されており、前記電源は前記２つのリレー接点を介し前記電力用ジャック端子より電力を供給するものであって、
前記制御用ジャック端子には、前記コイルに電流を流すための２つの制御用電極が設けられており、
前記２本の電力用プラグ端子と前記２つの電力用ジャック端子を嵌合した状態において、前記制御用ジャック端子に前記制御用プラグ端子を差込方向に伸すことにより、前記２つの制御用電極が接続され、前記コイルに電流が流れ、前記２つのリレー接点が接続され、前記電子機器に電力が供給されるものであることを特徴とする雌コネクタ。
【請求項１２】
電源と、前記電源から電力の供給を受ける電子機器とを電気的に接続するための雄コネクタと接続する雌コネクタであって、
前記雄コネクタは、前記電子機器に接続されており、前記電力供給を受けるための導体からなる２本の電力用プラグ端子と、１本の制御用プラグ端子を有し、前記制御用プラグ端子は、差込方向に伸縮可能であり、
前記雌コネクタは、前記電源に接続されており、前記２本の電力用プラグ端子の各々対応する２つの電力用ジャック端子と、前記制御用プラグ端子に対応する制御用ジャック端子と、２つのリレーを有しており、
前記リレーは、各々１つのコイルと１つのリレー接点を有しており、前記コイルに電流が流れることにより前記リレー接点が接続されるものであり、
前記２つの電力用ジャック端子の各々に対応し、前記２つのリレーの各々の前記リレー接点が接続されており、前記電源は前記リレー接点を介し前記電力用ジャック端子より電力を供給するものであって、
前記制御用ジャック端子には、前記コイルに電流を流すための２つの制御用電極が設けられており、
前記２本の電力用プラグ端子と前記２つの電力用ジャック端子を嵌合した状態において、前記制御用ジャック端子に前記制御用プラグ端子を差込方向に伸すことにより、前記２つの制御用電極が接続され、前記コイルに電流が流れ、前記２つのリレーのリレー接点が接続され、前記電子機器に電力が供給されるものであることを特徴とする雌コネクタ。
【請求項１３】
前記制御用プラグ端子は導体からなるものであり、前記制御用プラグ端子を差込方向に伸すことにより前記２つの制御用電極と接触させ、前記制御用プラグ端子を介し、前記２つの制御用電極を電気的に接続する構成のものであることを特徴とする請求項１１または１２に記載の雌コネクタ。
【請求項１４】
前記２つの制御用電極はスイッチにおける２つの端子であって、前記制御用プラグ端子を差込方向に伸すことにより、前記スイッチにおける２つの端子が接続される構成のものであることを特徴とする請求項１１から１３のいずれかに記載の雌コネクタ。
【請求項１５】
前記雄コネクタには、前記制御用プラグ端子の差込方向の伸縮に対応して、前記差込方向に垂直に突出するロック端子が設けられており、
前記ロック端子は、前記プラグ端子を前記差込方向に伸すことにより、前記差込方向に垂直に突出し、
前記雌コネクタには、前記突出したロック端子に対応した形状の凹状部が設けられており、
前記雄コネクタと雌コネクタとを嵌合した状態で、前記制御用プラグ端子を伸すことにより、前記雌コネクタの凹状部に前記ロック端子が前記差込方向に垂直に嵌入し、前記雄コネクタと前記雌コネクタとの嵌合状態が維持されるものであることを特徴とする請求項１０から１４のいずれかに記載の雌コネクタ。
【請求項１６】
前記雄コネクタには接地用プラグ端子が設けられており、
前記雌コネクタには、前記接地用プラグ端子に対応した接地用ジャック端子が設けられおり、
前記雌コネクタと雄コネクタとが嵌合した状態においては、前記接地用プラグ端子と、前記接地用ジャック端子とが嵌合した状態にあることを特徴とする請求項１０から１５のいずれかに記載の雌コネクタ。
【請求項１７】
前記電源より供給される電力は、直流であることを特徴とする請求項１０から１６のいずれかに記載の雌コネクタ。
【請求項１８】
前記電源より供給される電力の電圧は、４８Ｖを超える電圧であることを特徴とする請求項１０から１７のいずれかに記載の雌コネクタ。
【請求項１９】
電源と前記電源から電力の供給を受ける電子機器とを電気的に接続するための雄コネクタと雌コネクタからなるコネクタであって、
前記雄コネクタは、前記電子機器に接続されており、前記電力供給を受けるための導体からなる２本の電力用プラグ端子と、１本の制御用プラグ端子を有し、前記制御用プラグ端子は、差込方向に伸縮可能であり、
前記雌コネクタは、前記電源に接続されており、前記２本の電力用プラグ端子の各々対応する２つの電力用ジャック端子と、前記制御用プラグ端子に対応する制御用ジャック端子と、リレーを有しており、
前記リレーは、前記制御用ジャック端子と接続されており、
前記制御用プラグ端子を差込方向に伸すことにより、前記電力用プラグ端子と前記電力用ジャック端子を介し、前記リレーが動作し前記電子機器に電力が供給されるものであることを特徴とするコネクタ。
【請求項２０】
電源と前記電源から電力の供給を受ける電子機器とを電気的に接続するための雄コネクタと雌コネクタからなるコネクタであって、
前記雄コネクタは、前記電子機器に接続されており、前記電力供給を受けるための導体からなる２本の電力用プラグ端子と、１本の制御用プラグ端子を有し、前記制御用プラグ端子は、差込方向に伸縮可能であり、
前記雌コネクタは、前記電源に接続されており、前記２本の電力用プラグ端子の各々対応する２つの電力用ジャック端子と、前記制御用プラグ端子に対応する制御用ジャック端子と、リレーを有しており、
前記リレーは、少なくとも１つのコイルと２つのリレー接点からなるものであり、前記コイルに電流が流れることにより前記２つのリレー接点が同時に接続されるものであり、
前記２つの電力用ジャック端子の各々に対応し、前記２つのリレー接点がそれぞれ接続されており、前記電源は前記２つのリレー接点を介し前記電力用ジャック端子より電力を供給するものであって、
前記制御用ジャック端子には、前記コイルに電流を流すための２つの制御用電極が設けられており、
前記２本の電力用プラグ端子と前記２つの電力用ジャック端子を嵌合した状態において、前記制御用ジャック端子に前記制御用プラグ端子を差込方向に伸すことにより、前記２つの制御用電極が接続され、前記コイルに電流が流れ、前記２つのリレー接点が接続され、前記電子機器に電力が供給されるものであることを特徴とするコネクタ。
【請求項２１】
電源と前記電源から電力の供給を受ける電子機器とを電気的に接続するための雄コネクタと雌コネクタからなるコネクタであって、
前記雄コネクタは、前記電子機器に接続されており、前記電力供給を受けるための導体からなる２本の電力用プラグ端子と、１本の制御用プラグ端子を有し、前記制御用プラグ端子は、差込方向に伸縮可能であり、
前記雌コネクタは、前記電源に接続されており、前記２本の電力用プラグ端子の各々対応する２つの電力用ジャック端子と、前記制御用プラグ端子に対応する制御用ジャック端子と、２つのリレーを有しており、
前記リレーは、各々１つのコイルと１つのリレー接点を有しており、前記コイルに電流が流れることにより前記リレー接点が接続されるものであり、
前記２つの電力用ジャック端子の各々に対応し、前記２つのリレーの各々の前記リレー接点が接続されており、前記電源は前記リレー接点を介し前記電力用ジャック端子より電力を供給するものであって、
前記制御用ジャック端子には、前記コイルに電流を流すための２つの制御用電極が設けられており、
前記２本の電力用プラグ端子と前記２つの電力用ジャック端子を嵌合した状態において、前記制御用ジャック端子に前記制御用プラグ端子を差込方向に伸すことにより、前記２つの制御用電極が接続され、前記コイルに電流が流れ、前記２つのリレーのリレー接点が接続され、前記電子機器に電力が供給されるものであることを特徴とするコネクタ。
【請求項２２】
前記制御用プラグ端子は導体からなるものであり、前記制御用プラグ端子を差込方向に伸すことにより前記２つの制御用電極と接触させ、前記制御用プラグ端子を介し、前記２つの制御用電極を電気的に接続する構成のものであることを特徴とする請求項２０または２１に記載のコネクタ。
【請求項２３】
前記２つの制御用電極はスイッチにおける２つの端子であって、前記制御用プラグ端子を差込方向に伸すことにより、前記スイッチの２つの端子が接続される構成のものであることを特徴とする請求項２０から２２のいずれかに記載のコネクタ。
【請求項２４】
前記制御プラグ端子の差込方向の伸縮は、スライドスイッチ、または、押ボタンスイッチにより行われるものであることを特徴とする請求項１９から２３のいずれかに記載のコネクタ。
【請求項２５】
制御プラグ端子リンクを介し前記制御プラグ端子の差込方向の伸縮を行うためのスライドスイッチと、伸縮可能なコイルバネと、を有し、
前記スライドスイッチの移動方向と前記コイルバネの伸縮方向とが垂直となる中立状態となるものであって、
前記スライドスイッチを移動させることにより、前記コイルバネを伸縮させるものであることを特徴とする請求項１９から２３のいずれかに記載のコネクタ。
【請求項２６】
前記中立状態において、前記コイルバネは伸びた状態又は縮んだ状態にあり、
前記中立状態より、前記コイルバネの復元力により、前記制御プラグ端子は前記制御プラグ端子リンクを介し、前記差込方向に対し伸びるものであることを特徴とする請求項２５に記載のコネクタ。
【請求項２７】
前記中立状態において、前記コイルバネは伸びた状態又は縮んだ状態にあり、
前記中立状態より、前記コイルバネの復元力により、前記制御プラグ端子は前記制御プラグ端子リンクを介し、前記差込方向に対し縮むものであることを特徴とする請求項２５に記載のコネクタ。
【請求項２８】
前記雄コネクタには、前記制御用プラグ端子の差込方向の伸縮に対応して、前記差込方向に垂直に突出するロック端子が設けられており、
前記ロック端子は、前記プラグ端子を前記差込方向に伸すことにより、前記差込方向に垂直に突出し、
前記雌コネクタには、前記突出したロック端子に対応した形状の凹状部が設けられており、
前記雄コネクタと雌コネクタとを嵌合した状態で、前記制御用プラグ端子を伸すことにより、前記雌コネクタの凹状部に前記ロック端子が前記差込方向に垂直に嵌入し、前記雄コネクタと前記雌コネクタとの嵌合状態が維持されるものであることを特徴とする請求項１９から２７のいずれかに記載のコネクタ。
【請求項２９】
前記雄コネクタには接地用プラグ端子が設けられており、
前記雌コネクタには、前記接地用プラグ端子に対応した接地用ジャック端子が設けられおり、
前記雌コネクタと雄コネクタとが嵌合した状態においては、前記接地用プラグ端子と前記接地用ジャック端子とが嵌合した状態であることを特徴とする請求項１９から２８のいずれかに記載のコネクタ。
【請求項３０】
前記電源より供給される電力は、直流であることを特徴とする請求項１９から２９のいずれかに記載のコネクタ。
【請求項３１】
前記電源より供給される電力の電圧は、４８Ｖを超える電圧であることを特徴とする請求項１９から３０のいずれかに記載のコネクタ。
【発明の詳細な説明】
【技術分野】
【０００１】
本発明は、電力を供給するために用いられる雄コネクタ、雌コネクタ及びコネクタに関する。
【背景技術】
【０００２】
一般的に電気機器は、電源より電力の供給を受け動作する。このように、電源より電力の供給を受ける際には、通常コネクタを介し電源より電気機器へ電力が供給される。この際用いられるコネクタは、特許文献１、２に開示されているように、凸状の雄型タイプのコネクタと、凹状の雌型タイプのコネクタを嵌合することにより、電気的に接続を行うものである。
【０００３】
一方近年では、地球温暖化等に対する対策の一つとして、ローカルエリアにおける送電においても、電圧変換や送電等における電力損失が少なく、ケーブルの太さも太くする必要のない、直流で高電圧の電力の供給が検討されている。特に、サーバ等の情報機器においては、大量に電力を消費するためこのような電力供給が望ましいものとされている。
【０００４】
このように電気機器に供給される電力に関しては、電圧が高いと人体に影響を及ぼす場合や、電子部品の動作に影響を与える場合がある。
【０００５】
このような高電圧の電力をサーバ等の情報機器に用いる場合においては、装置の設置やメンテナンスの際においては、人により作業が行われるため、電気的接続がされている部分であるコネクタは通常の交流の商用電源に用いられるものとは異なるものとする必要がある。
【特許文献１】特開平５−８２２０８号公報
【特許文献２】特開２００３−３１３０１号公報
【発明の開示】
【発明が解決しようとする課題】
【０００６】
本発明は、上記点に鑑みてなされたものであり、特に、高電圧の電力を安全に供給することが可能な雄コネクタ、雌コネクタ及びコネクタを提供することを目的とするものである。
【課題を解決するための手段】
【０００７】
本発明は、電源と前記電源から電力の供給を受ける電子機器とを電気的に接続するための雄コネクタと雌コネクタからなるコネクタであって、前記雄コネクタは、前記電子機器に接続されており、前記電力供給を受けるための導体からなる２本の電力用プラグ端子と、１本の制御用プラグ端子を有し、前記制御用プラグ端子は、差込方向に伸縮可能であり、前記雌コネクタは、前記電源に接続されており、前記２本の電力用プラグ端子の各々対応する２つの電力用ジャック端子と、前記制御用プラグ端子に対応する制御用ジャック端子と、リレーを有しており、前記リレーは、前記制御用ジャック端子と接続されており、前記制御用プラグ端子を差込方向に伸すことにより、前記電力用プラグ端子と前記電力用ジャック端子を介し、前記リレーが動作し前記電子機器に電力が供給されるものであることを特徴とする。
【０００８】
また、本発明は、電源と前記電源から電力の供給を受ける電子機器とを電気的に接続するための雄コネクタと雌コネクタからなるコネクタであって、前記雄コネクタは、前記電子機器に接続されており、前記電力供給を受けるための導体からなる２本の電力用プラグ端子と、１本の制御用プラグ端子を有し、前記制御用プラグ端子は、差込方向に伸縮可能であり、前記雌コネクタは、前記電源に接続されており、前記２本の電力用プラグ端子の各々対応する２つの電力用ジャック端子と、前記制御用プラグ端子に対応する制御用ジャック端子と、リレーを有しており、前記リレーは、少なくとも１つのコイルと２つのリレー接点からなるものであり、前記コイルに電流が流れることにより前記２つのリレー接点が同時に接続されるものであり、前記２つの電力用ジャック端子の各々に対応し、前記２つのリレー接点がそれぞれ接続されており、前記電源は前記２つのリレー接点を介し前記電力用ジャック端子より電力を供給するものであって、前記制御用ジャック端子には、前記コイルに電流を流すための２つの制御用電極が設けられており、前記２本の電力用プラグ端子と前記２つの電力用ジャック端子を嵌合した状態において、前記制御用ジャック端子に前記制御用プラグ端子を差込方向に伸すことにより、前記２つの制御用電極が接続され、前記コイルに電流が流れ、前記２つのリレー接点が接続され、前記電子機器に電力が供給されるものであることを特徴とする。
【０００９】
また、本発明は、電源と前記電源から電力の供給を受ける電子機器とを電気的に接続するための雄コネクタと雌コネクタからなるコネクタであって、前記雄コネクタは、前記電子機器に接続されており、前記電力供給を受けるための導体からなる２本の電力用プラグ端子と、１本の制御用プラグ端子を有し、前記制御用プラグ端子は、差込方向に伸縮可能であり、前記雌コネクタは、前記電源に接続されており、前記２本の電力用プラグ端子の各々対応する２つの電力用ジャック端子と、前記制御用プラグ端子に対応する制御用ジャック端子と、２つのリレーを有しており、前記リレーは、各々１つのコイルと１つのリレー接点を有しており、前記コイルに電流が流れることにより前記リレー接点が接続されるものであり、前記２つの電力用ジャック端子の各々に対応し、前記２つのリレーの各々の前記リレー接点が接続されており、前記電源は前記リレー接点を介し前記電力用ジャック端子より電力を供給するものであって、前記制御用ジャック端子には、前記コイルに電流を流すための２つの制御用電極が設けられており、前記２本の電力用プラグ端子と前記２つの電力用ジャック端子を嵌合した状態において、前記制御用ジャック端子に前記制御用プラグ端子を差込方向に伸すことにより、前記２つの制御用電極が接続され、前記コイルに電流が流れ、前記２つのリレーのリレー接点が接続され、前記電子機器に電力が供給されるものであることを特徴とする。
【００１０】
また、本発明は、前記制御用プラグ端子は導体からなるものであり、前記制御用プラグ端子を差込方向に伸すことにより前記２つの制御用電極と接触させ、前記制御用プラグ端子を介し、前記２つの制御用電極を電気的に接続する構成のものであることを特徴とする。
【００１１】
また、本発明は、前記２つの制御用電極はスイッチにおける２つの端子であって、前記制御用プラグ端子を差込方向に伸すことにより、前記スイッチの２つの端子が接続される構成のものであることを特徴とする。
【００１２】
また、本発明は、前記制御プラグ端子の差込方向の伸縮は、スライドスイッチ、または、押ボタンスイッチにより行われるものであることを特徴とする。
【００１３】
また、本発明は、制御プラグ端子リンクを介し前記制御プラグ端子の差込方向の伸縮を行うためのスライドスイッチと、伸縮可能なコイルバネと、を有し、前記スライドスイッチの移動方向と前記コイルバネの伸縮方向とが垂直となる中立状態となるものであって、前記スライドスイッチを移動させることにより、前記コイルバネを伸縮させるものであることを特徴とする。
【００１４】
また、本発明は、前記中立状態において、前記コイルバネは伸びた状態又は縮んだ状態にあり、前記中立状態より、前記コイルバネの復元力により、前記制御プラグ端子は前記制御プラグ端子リンクを介し、前記差込方向に対し伸びるものであることを特徴とする。
【００１５】
また、本発明は、前記中立状態において、前記コイルバネは伸びた状態又は縮んだ状態にあり、前記中立状態より、前記コイルバネの復元力により、前記制御プラグ端子は前記制御プラグ端子リンクを介し、前記差込方向に対し縮むものであることを特徴とする。
【００１６】
また、本発明は、前記雄コネクタには、前記制御用プラグ端子の差込方向の伸縮に対応して、前記差込方向に垂直に突出するロック端子が設けられており、前記ロック端子は、前記プラグ端子を前記差込方向に伸すことにより、前記差込方向に垂直に突出し、前記雌コネクタには、前記突出したロック端子に対応した形状の凹状部が設けられており、前記雄コネクタと雌コネクタとを嵌合した状態で、前記制御用プラグ端子を伸すことにより、前記雌コネクタの凹状部に前記ロック端子が前記差込方向に垂直に嵌入し、前記雄コネクタと前記雌コネクタとの嵌合状態が維持されるものであることを特徴とする。
【００１７】
また、本発明は、前記雄コネクタには接地用プラグ端子が設けられており、前記雌コネクタには、前記接地用プラグ端子に対応した接地用ジャック端子が設けられおり、前記雌コネクタと雄コネクタとが嵌合した状態においては、前記接地用プラグ端子と前記接地用ジャック端子とが嵌合した状態であることを特徴とする。
【００１８】
また、本発明は、前記電源より供給される電力は、直流であることを特徴とする。
【００１９】
また、本発明は、前記電源より供給される電力の電圧は、４８Ｖを超える電圧であることを特徴とする。
【発明の効果】
【００２０】
本発明によれば、高電圧の電力を安全に供給することが可能な雄コネクタ、雌コネクタ及びコネクタを提供することができる。
【発明を実施するための最良の形態】
【００２１】
〔第１の実施の形態〕
第１の実施の形態における雄コネクタ、雌コネクタ及びコネクタについて説明する。図１に、本実施の形態における雄コネクタ、雌コネクタ及びコネクタの構成の概要を示す。
【００２２】
本実施の形態におけるコネクタは、雄コネクタ１０と雌コネクタ２０から構成されている。雄コネクタ１０は、サーバ等の情報機器４０に接続されており、電力の供給を受けるための２本の電力用プラグ端子１１、１２、制御用プラグ端子１３、アースのための接地用プラグ端子１４を有している。制御用プラグ端子１３は、雄コネクタ１０の差込方向に伸縮させることが可能な構成となっている。
【００２３】
一方、雌コネクタ２０は電力を供給するための高圧電源５０に接続されている。雌コネクタ２０には、電力用プラグ端子１１、１２に対応している電力用ジャック端子２１、２２、制御用プラグ端子１３に対応している制御用ジャック端子２３、接地用プラグ端子１４に対応している接地用ジャック端子２４を有している。
【００２４】
また、雌コネクタ２０には、２つのリレー３１、３２が設けられており、リレー３１は、コイル３３と、このコイル３３に電流を流すことにより閉じて接続されるリレー接点３４が設けられている。このリレー接点３４は、コイル３３に電流が流れていない状態では、開いた状態となり接続されることはない。また、リレー３２には、コイル３５と、このコイル３５に電流を流すことにより閉じて接続されるリレー接点３６が設けられている。このリレー接点３６は、コイル３５に電流が流れていない状態では、開いた状態となり接続されることはない。
【００２５】
リレー接点３４の一方は、高圧電源５０の正の出力に接続されており、他方は、電力用ジャック端子２１に接続されている。また、リレー接点３６の一方は、高圧電源５０の負の出力に接続されており、他方は、電力用ジャック端子２２に接続されている。
【００２６】
雌コネクタ２０はリレー３１、３２を駆動するためのリレー電源６０に接続されている。具体的には、リレー３１におけるコイル３３の一方の端子と、リレー３２におけるコイル３５の一方の端子とが接続されており、リレー３１におけるコイル３３とリレー３２におけるコイル３５とは直列に接続された構成となっている。また、コイル３３の他方の端子とリレー電源６０の一方の端子が接続されており、コイル３５の他方の端子とリレー電源６０の他方の端子とは、それぞれ制御スイッチ３７に接続されている。
【００２７】
この制御スイッチ３７は、雄コネクタ１０と雌コネクタ２０とを嵌合させた状態において、雄コネクタ１０の制御用プラグ端子１３を差込方向に伸すことにより、接点が接続されるものである。
【００２８】
このように、制御スイッチ３７の接点が接続されることにより、リレー３１、３２におけるコイル３３、３５にリレー電源６０からの電流が流れ、リレー接点３４、３６がそれぞれ閉じ、雌コネクタ２０における電力用ジャック端子２１、２２に電力が供給され、更には、雄コネクタにおける電力用プラグ端子１１、１２を介し、サーバ等の情報機器４０に電力が供給される。
【００２９】
本実施の形態におけるコネクタでは、電力用ジャック端子２１、２２の各々に、リレー３１、３２のリレー接点３４、３６が接続されているが、これは４８Ｖ超える電圧、更には２００Ｖ以上の電圧である高電圧の直流電力の場合では、接触により人体に与える危険が高いため、電力用ジャック端子２１、２２の双方にリレー接点３４、３６を接続することにより、電力用ジャック端子２１、２２の双方からの電力供給を制御し、安全性をより一層高めている。
【００３０】
尚、制御スイッチ３７は、それ単体でスイッチとして構成されるものではなくてもよい。即ち、制御用プラグ端子１３を差込方向に伸すことにより、前述したコイル３５の他方の端子とリレー電源５０の他方の端子とが接続される構成のものであればよい。具体的には、後述する図５（ｂ）、図６（ｂ）に示すように、図１に示されるコイル３５に接続された電極３８と、図１に示されるリレー電源５０に接続された電極３９を設け、導体により制御用プラグ端子１３を形成し、制御用プラグ端子１３を差込方向に伸すことにより、制御用プラグ端子１３が電極３８と電極３９とに、ともに接触し、制御用プラグ端子１３を介し、コイル３５の他方の端子とリレー電源５０の他方の端子とが電気的に接続されるような構成であっても良い。
【００３１】
また、本発明では、制御用ジャック端子２３とは、制御用プラグ端子１３が伸びた状態で嵌合する構造のもののみならず、制御用プラグ端子１３の伸縮により力学的な力によりオン、オフが制御される制御スイッチ３７等を内部に含む構成のものも含まれる。
【００３２】
（コネクタの構造）
次に、図２から図６に基づき、本実施の形態におけるコネクタの構造及び接続方法について説明する。図２（ａ）は、本実施の形態における雄コネクタ１０の外観の斜視図であり、図２（ｂ）は、本実施の形態における雌コネクタ２０の本体の外観の斜視図である。図３（ａ）は、本実施の形態における雌コネクタ２０の本体の上面図であり、図３（ｂ）は、本実施の形態における雌コネクタ２０の本体の長手方向の側面図であり、図３（ｃ）は、本実施の形態における雌コネクタ２０の本体の裏面図であり、図３（ｄ）は、本実施の形態における雌コネクタ２０の本体の短手方向の側面図である。図４（ａ）は、本実施の形態における雄コネクタ１０において、制御用プラグ端子１３が縮んでいる状態の内部構造の斜視図であり、図４（ｂ）は、本実施の形態における雄コネクタ１０において、制御用プラグ端子１３が伸びている状態の内部構造の斜視図である。図５（ａ）は、本実施の形態における雄コネクタ１０において、制御用プラグ端子１３が縮んでいる状態の外観の斜視図であり、図５（ｂ）は、本実施の形態における雄コネクタ１０と雌コネクタ２０とが接続された状態において、制御用プラグ端子１３が縮んでいる状態の部分透過斜視図である。図６（ａ）は、本実施の形態における雄コネクタ１０において、制御用プラグ端子１３が伸びている状態の外観の斜視図であり、図６（ｂ）は、本実施の形態における雄コネクタ１０と雌コネクタ２０とが接続された状態において、制御用プラグ端子１３が伸びている状態の部分透過斜視図である。
【００３３】
図２（ａ）に示されるように、本実施の形態における雄コネクタ１０の本体の外観は、幅Ｗ１が３０ｍｍ、長さＤ１が３０ｍｍ、高さＨ１が１６ｍｍである。この雄コネクタ１０には、４００ＶＤＣの直流の電源ケーブル１５が接続されており、反対側には、金属により形成された電力用プラグ端子１１、１２、制御用プラグ端子１３、接地用プラグ端子１４が設けられている。電力用プラグ端子１１、１２の長さＡは１７ｍｍであり、接地用プラグ端子１４の長さＢは１９ｍｍである。
【００３４】
また、図５（ａ）に示すように、制御用プラグ端子１３が縮んでいる状態の長さＣ１は１０ｍｍであり、図６（ａ）に示すように、制御用プラグ端子１３が伸びている状態の長さＣ２は１４．５ｍｍである。
【００３５】
一方、図２（ｂ）及び図３に示すように、本実施の形態における雌コネクタ２０の本体は、雄コネクタ１０の本体の一部が嵌入する構成のものである。雌コネクタ２０には、電力用プラグ端子１１、１２と接続される電力用ジャック端子２１、２２、接地用プラグ端子１４に接続される接地用ジャック端子２４、制御用プラグ端子１３が伸びた状態で接続される制御用ジャック端子２３が設けられている。尚、図５（ｂ）、図６（ｂ）に示されるように、制御用ジャック端子２３の内部には、電極３８、３９が設けられている。また、雌コネクタ２０の本体は、裏面にて後述するＰＤＵの本体等に接続されるための端子が設けられている。具体的には、リレー３１のリレー接点３４と電力用ジャック端子２１とを接続する電力用端子２１Ａ、リレー３２のリレー接点３６と電力用ジャック端子２２とを接続する電力用端子２２Ａ、接地用ジャック端子２４に接続されている接地端子２４Ａ、制御用ジャック端子２３における電極３８、３９とそれぞれ接続されている制御用端子２３Ａ、２３Ｂが設けられている。
【００３６】
また、雌コネクタ２０の本体の外観は、幅Ｗ２が５６ｍｍ、長さＤ２が４０ｍｍ、高さＨ２が４０．５ｍｍである。尚、本実施の形態では、リレー３１、３２は雌コネクタ２０の本体の外部に設けた構成であるが、内部に設けた構成とすることも可能である。
【００３７】
雌コネクタ２０に設けられている電極３８、３９は、通常の状態では接触することはなく、制御用プラグ端子１３が伸びた状態においてのみ制御用プラグ端子１３と電極３８、３９とが各々接触し、制御用プラグ端子１３を介し電極３８と電極３９とが電気的に接続され電流が流れる構成のものである。
【００３８】
本実施の形態における雄コネクタ１０は、雌コネクタ２０に差し込まれた直後は、図４（ａ）に示す状態にあり、この後、押ボタン１６を押すことにより、制御用プラグ端子１３が伸びるとともに、ヒンジ１７が回転し、差込方向と垂直方向にロック端子１８が突出し、図４（ｂ）に示す状態となる。
【００３９】
図５（ｂ）に示すように、雌コネクタ２０には、突出したロック端子１８に対応した凹部２９が形成されており、図６（ｂ）に示すように、凹部２９において、ロック端子１８が突出している状態では、雄コネクタ１０と雌コネクタ２０との接合が外れることはない。
【００４０】
尚、本実施の形態においては、押ボタン１６を用いて差込方向に制御用プラグ端子１３を伸縮させるとともにロック端子１８の突出する構成ものであるが、押ボタン１６に代えて、差込方向に移動可能なスライドスイッチ等を用いて、差込方向に制御用プラグ端子１３を伸縮させるとともにロック端子１８の突出を行う構成であっても良い。
【００４１】
このように、制御用プラグ端子１３が伸びた状態においてのみ、電力用ジャック端子２１、２２より電力が供給されるように構成されているのは、雌コネクタ２０に雄コネクタ１０が接続されていない状態において、電力用ジャック端子２１、２２に４００ＶＤＣの高電圧が印加されることを防止するためである。即ち、雌コネクタ２０に雄コネクタ１０が接合されていない状態において、雌コネクタ２０の電力用ジャック端子２１、２２に４００ＶＤＣの高電圧が印加されていると、電力用ジャック端子２１、２２に人が不注意に接触した場合や、電力用ジャック端子２１、２２よりドライバ、金属片又は切れかけ導線等を介し人が接触した場合において、人体に危険が及ぶ場合があり、このような事態を防ぐためである。
【００４２】
以上より、本実施の形態におけるコネクタは、雄コネクタ１０の電力用プラグ端子１１、１２が、雌コネクタ２０の電力用ジャック端子２１、２２に嵌合された状態において、制御用プラグ端子１３を伸すことにより、制御用ジャック端子２３に設けられた電極や制御スイッチを介して電流が流れ、リレーが動作し、電力用ジャック端子２１、２２に４００ＶＤＣの電力が供給され、更には、雄コネクタ１０のプラグ端子１１、１２より、情報機器４０に電力が供給されるものである。
【００４３】
（電力供給システム）
次に、本実施の形態におけるコネクタを用いた電力供給システムの構成を説明する。
【００４４】
図７は、本実施の形態におけるコネクタを用いた電力供給システムの構成を示すものである。
【００４５】
この電力供給システムは、商用電源７０より供給されるＡＣ１００Ｖ又はＡＣ２００Ｖの電力を高圧電源５０に入力し、高圧電源５０におけるＡＣ／ＤＣ変換器５１により、ＡＣ１００Ｖ又はＡＣ２００ＶをＤＣ４００Ｖに変換する。直流電力は、バッテリー等により蓄電することが可能であるため、バックアップ用にバッテリー５２を設けることにより、停電等の場合においても容易に対応することが可能である。高圧電源５０には電源ケーブルを介し、本実施の形態における雌コネクタ２０が接続されており、高圧電源５０からの４００ＶＤＣの電力は、雌コネクタ２０より供給される。
【００４６】
一方、本実施の形態における雄コネクタ１０は、サーバ等の情報機器４０と電源ケーブル１５を介し接続されており、雌コネクタ２０と雄コネクタ１０とを電気的に接続することにより、高圧電源５０からの電力が、サーバ等の情報機器４０に供給される。
【００４７】
また、サーバ等の情報機器４０内には、４００ＶＤＣをＣＰＵ４２等の電子部品の動作が可能な低電圧のＤＣ出力に変換するＤＣ／ＤＣ変換器４１が設けられている。
【００４８】
このような、電力供給システムでは、商用電源７０からのＡＣからＤＣへの変換が一回で済むため電力損失が少ないこと、高電圧な直流である４００ＶＤＣでは、導線等の太さを気にする必要があまりないこと、直流であることからバッテリー５２に蓄えることが可能であり、商用電源７０の供給が停電等により停止した場合においても、対応しやすいこと等の利点を有している。
【００４９】
次に、図８に基づき、本実施の形態におけるコネクタを用いたＰＤＵ（パワー・ディストリビューション・ユニット）について説明する。
【００５０】
図７に示される高圧電源５０より供給される４００ＶＤＣは、一旦、分電盤７０に入力し、各々のＰＤＵ（パワー・ディストリビューション・ユニット）３０に電力が分配される。各々のＰＤＵ３０には、本実施の形態における雌コネクタ２０が複数設けられており、各々の雌コネクタ２０を介し４００ＶＤＣの電力を供給することが可能である。一方、サーバラック４５には、複数のサーバ等の情報機器４０が収納されており、各々のサーバ等の情報機器４０には、電源供給を受けるための雄コネクタ１０が電源ケーブル１５を介し接続されている。雄コネクタ１０は、ＰＤＵ３０に設けられた雌コネクタ２０と電気的に接続することにより、４００ＶＤＣの電力が供給されるように構成されている。
【００５１】
〔第２の実施の形態〕
次に、第２の実施の形態における雄コネクタ、雌コネクタ及びコネクタについて説明する。図９に、本実施の形態における雄コネクタ、雌コネクタ及びコネクタの構成の概要を示す。
【００５２】
本実施の形態におけるコネクタは、雄コネクタ１０と雌コネクタ１２０から構成されている。雄コネクタ１０は、サーバ等の情報機器４０に接続されており、電力の供給を受けるための２本の電力用プラグ端子１１、１２、制御用プラグ端子１３、アースのための接地用プラグ端子１４を有している。制御用プラグ端子１３は、雄コネクタ１０の差込方向に伸縮させることが可能な構成となっている。
【００５３】
一方、雌コネクタ１２０は電力を供給するための高圧電源５０に接続されている。雌コネクタ１２０には、電力用プラグ端子１１、１２に対応している電力用ジャック端子１２１、１２２、制御用プラグ端子１３に対応している制御用ジャック端子１２３、接地用プラグ端子１４に対応している接地用ジャック端子１２４を有している。
【００５４】
また、雌コネクタ１２０には、一つのコイル１３２と２つのリレー接点１３３、１３４からなるリレー１３１が設けられており、コイル１３２に電流を流すことにより、リレー接点１３３、１３４が閉じて各々が接続される。このリレー接点１３３、１３４は、コイル１３２に電流が流れていない状態では、ともに開いた状態となり接続されることはない。
【００５５】
リレー接点１３３の一方は、高圧電源５０の正の出力に接続されており、他方は、電力用ジャック端子１２１に接続されている。また、リレー接点１３４の一方は、高圧電源５０の負の出力に接続されており、他方は、電力用ジャック端子１２２に接続されている。
【００５６】
雌コネクタ１２０はリレー１３１を駆動するためのリレー電源６０が接続されている。即ち、リレー１３１のコイル１３２の一方の端子とリレー電源６０の一方の端子が接続されており、コイル１３２の他方の端子とリレー電源６０の他方の端子は、それぞれ制御スイッチ１３７に接続されている。
【００５７】
この制御スイッチ１３７は、雄コネクタ１０と雌コネクタ１２０とを嵌合させた状態で、雄コネクタ１０の制御用プラグ端子１３を差込方向に伸すことにより、電気的に接続されるものである。
【００５８】
このように、制御スイッチ１３７が電気的に接続されることにより、リレー１３１におけるコイル１３２にリレー電源６０からの電流が流れ、リレー接点１３３、１３４がそれぞれ閉じ、雌コネクタ１２０における電力用ジャック端子１２１、１２２に電力が供給され、更には、雄コネクタにおける電力用プラグ端子１１、１２を介し、サーバ等の情報機器４０に電力が供給される。
【００５９】
本実施の形態におけるコネクタにおいては、電力用ジャック端子１２１、１２２の各々に、リレー１３１のリレー接点１３３、１３４が接続されているが、これは４８Ｖ超える電圧、更には２００Ｖ以上の電圧である高電圧の直流電力の場合では、接触により人体に与える危険が極めて高いため、電力用ジャック端子１２１、１２２の双方にリレー接点１３３、１３４を接続することにより、電力用ジャック端子１２１、１２２の双方への電力の供給を制御することにより、安全性をより一層高めている。
【００６０】
尚、制御スイッチ１３７は、それ単体でスイッチとして構成されるものではなくてもよい。即ち、制御用プラグ端子１３を差込方向に伸すことにより、コイル１３２の他方の端子とリレー電源５０の他方の端子とが接続される構成のものであればよい。具体的には、図５（ｂ）、図６（ｂ）において示されるように、図９に示されるコイル１３２の他方の端子に接続された電極３８と、図９に示されるリレー電源５０の他方の端子に接続された電極３９を設け、導体により制御用プラグ端子１３を形成し、この制御用プラグ端子１３を差込方向に伸すことにより、制御用プラグ端子１３が電極３８と電極３９とに、ともに接触し、制御用プラグ端子１３を介し、コイル１３２の他方の端子とリレー電源５０の他方の端子とが電気的に接続されるような構成であっても良い。
【００６１】
尚、本実施の形態におけるコネクタは、第１の実施の形態に記載されている電力供給システムに使用することが可能である。
【００６２】
〔第３の実施の形態〕
次に、第３の実施の形態における雌コネクタについて、図１、図１０に基づき説明する。図１０（ａ）は、本実施の形態における雌コネクタの斜視図であり、図１０（ｂ）は、本実施の形態における要部拡大図である。
【００６３】
本実施の形態における雌コネクタ２２０には、電力用ジャック端子２２１、２２２、接地用ジャック端子２２４が設けられている。制御用プラグ端子に対応する制御用ジャック端子となる部分には、絶縁体の板バネ２３３を介して、制御スイッチ２３１（図１に示す３７）として板バネ状のスイッチが設けられている。この制御スイッチ２３１は、接点２３６と接点２３７とが接続される構成のスイッチと、接点２３８と接点２３９とが接続される構成のスイッチとの２つのスイッチにより構成されている。また、アーク防止のため、接点２３６、２３７の近傍には永久磁石２２５Ａが、接点２３８、２３９の近傍には永久磁石２２５Ｂが設けられている。接点２３７と接点２３９とは電気的に接続されており、接点２３６は、図１に示すリレー電源６０に接続されており、接点２３８は、図１に示すリレー３２のコイル３５と接続されている。
【００６４】
絶縁体の板バネ２３３は、不図示の雄コネクタの制御用プラグ端子が伸びた状態では、撓むことにより板バネ状のスイッチの接点２３６と接点２３７とが接続され、同時に板バネ状のスイッチの接点２３８と接点２３９とが接続される。これにより、接点２３６と接点２３８とは電気的に接続され、リレー電源６０から電力が供給され、リレー３１、３２のコイル３３、３５に電流が流れ、リレー接点３４、３６が接続され、電力用ジャック端子２２１及び２２２を介し、高圧電源５０から電力が供給される。
【００６５】
尚、上述の実施の形態における雌コネクタはリレーを備えている。通常の永久磁石２２５Ａ、２２５Ｂ等を有しないリレーの場合、高電圧においてはアークにより遮断が困難となるが、本実施の形態のように永久磁石２２５Ａ、２２５Ｂを備えることにより、６０Ｖ以上の高電圧であってもアークによる遮断の困難性といった問題がなくなり、本実施の形態における雌コネクタは、６０Ｖ以上の電圧であっても実用的に使用することが可能である。
【００６６】
以上、本実施の形態における雌コネクタについて説明したが、本実施の形態における雌コネクタは、第１の実施の形態における雌コネクタに代えて用いることができるものであり、本実施の形態における雌コネクタと、第１の実施の形態に記載されている雄コネクタとを組み合わせることにより、コネクタとして使用することができるものである。
【００６７】
〔第４の実施の形態〕
第４の実施の形態は、本発明に係る雄コネクタに関するものである。具体的には、制御用プラグ端子の伸縮をスライドスイッチにより行う構成のものである。
【００６８】
図１１に、本実施の形態の雄コネクタの構成を示す。図１１（ａ）は、制御用プラグ端子３１３が縮んでいる状態の雄コネクタ３１０の斜視図であり、図１１（ｂ）は、制御用プラグ端子３１３が伸びている状態の雄コネクタ３１０の斜視図である。
【００６９】
本実施の形態における雄コネクタ３１０は、電力の供給を受けるための２本の電力用プラグ端子３１１、３１２、制御用プラグ端子３１３、アースのための接地用プラグ端子３１４、スライドスイッチ３１６、ロック端子３０８を有している。
【００７０】
図１１（ａ）に示す状態から、図１１（ｂ）に示す状態に、スライドスイッチ３１６を制御用プラグ端子３１３の差込方向にスライドさせることにより、制御用プラグ端子３１３が伸びる構成のものである。
【００７１】
次に、図１２、図１３に基づき本実施の形態に係る雄コネクタ３１０において、制御用プラグ端子３１３を伸す場合について説明する。尚、制御用プラグ端子３１３を伸すことにより、不図示の雌コネクタにおける制御用ジャック端子に設けられたスイッチの接点が開いた状態から閉じた状態となる。
【００７２】
図１２（ａ）は、制御用プラグ端子３１３が縮んでいる状態における内部構造図であり、図１２（ｂ）は、制御用プラグ端子３１３が縮んでいる状態における内部斜視図である。図１２（ｃ）は、制御用プラグ端子３１３が縮んでいる状態から伸びた状態に移行する際の中立状態における内部構造図であり、図１２（ｄ）は、制御用プラグ端子３１３が縮んでいる状態から伸びた状態に移行する際の中立状態における内部斜視図である。図１２（ｅ）は、制御用プラグ端子３１３が伸びている状態における内部構造図であり、図１２（ｆ）は、制御用プラグ端子３１３が伸びている状態における内部斜視図である。また、図１３は、図１２（ｂ）の部分的拡大図である。
【００７３】
図１２（ａ）、（ｂ）に示すように、スライドスイッチ３１６は、雄コネクタ３１０の内部においてU字部３１７が設けられており、制御用プラグ端子リンク３１８を介し、制御用プラグ３１３が伸びる構成のものである。また、雄コネクタ３１０の内部には、コイルバネ３１９が設けられており、このコイルバネ３１９はコイルバネ３１９の伸縮を伝達する伝達部３２０の一方の端と接続されている。伝達部３２０の他方の端は、制御用プラグ端子リンク３１８のカム軸３２１と回転可能な状態で接続されており、このカム軸３２１は、カム溝３２２内を移動可能な構成となっている。
【００７４】
また、制御用プラグ端子リンク３１８には、スライド軸３２３が設けられており、スライド溝３２４内を移動可能な構成となっている。また、制御プラグ端子リンク３１８の先端部３２５は、制御プラグ端子３１３に設けられた緩衝溝３２６内に挿入しており、移動可能な状態となっている。
【００７５】
制御用プラグ端子３１３が縮んでいる状態では、図面上、スライドスイッチ３１６は左側に位置しており、制御用プラグ端子リンク３１８も左側に位置している。カム軸３２１は、カム溝３２２内の最も左側に位置しており、Ｕ字部３１７の左側の内部壁面において接している。また、制御用プラグ端子リンク３１８のスライド軸３２３は、スライド溝３２４内の左側に位置しており、先端部３２５は、緩衝溝３２６の左端と接している。この際、コイルバネ３１９は若干縮んだ状態にある。
【００７６】
この後、スライドスイッチ３１６を差込方向に対し差込む方向（右方向）に移動させることにより、図１２（ｃ）、（ｄ）に示す中立状態となる。この中立状態では、スライドスイッチ３１６の移動方向と、コイルバネ３１９の伸縮方向とが垂直となっている。
【００７７】
この状態では、図面上、スライドスイッチ３１６はほぼ中央部に位置し、制御用プラグ端子リンク３１８は、Ｕ字部３１７の左側の内部壁面により、カム軸３２１が右側に押され、カム溝３２２内を右側に移動しほぼ中央部に移動する。この際、制御用プラグ端子リンク３１８の先端部３２５も右側に移動するが、緩衝溝３２６内での移動であるため、制御用プラグ端子３１３は、縮んだ状態のままである。この状態では、先端部３２５は、緩衝溝３２６の右端に接しており、また、コイルバネ３１９は、図１２（ａ）、（ｂ）に示す状態よりも更に縮んだ状態となっており、コイルバネ３１９の復元力により伝達部３２０を押し上げようとする力が強くなっている。
【００７８】
この後、スライドスイッチ３１６を差込方向に対し差込む方向（右方向）に更に移動させることにより、コイルバネ３１９の復元力により図１２（ｅ）、（ｆ）に示す状態となる。
【００７９】
即ち、コイルバネ３１９が伸びる復元力により、図面上、伝達部３２０を介しカム溝３２２内をカム軸３２１が右方向に移動し、これにより、制御用プラグ端子リンク３１８の先端部３２５を介し、緩衝溝３２６の右端が押され、制御用プラグ端子３１３が差込方向に伸びるのである。
【００８０】
この状態では、図面上、スライドスイッチ３１６は右側に移動しており、制御用プラグ端子リンク３１８も右側に移動している。また、カム軸３２１は、カム溝３２２内の最も右側に移動しており、Ｕ字部３１７の右側の内部壁面において接している。また、制御用プラグ端子リンク３１８のスライド軸３２３は、スライド溝３２４内の右側に移動し、先端部３２５は、緩衝溝３２６の右端と接している。この際、コイルバネ３１９は、中立状態よりも伸びた状態となっている。
【００８１】
このようにして、制御用プラグ端子３１３を差込方向に伸すことができる。これは、中立状態からのコイルバネ３１９の復元力、即ち、コイルバネ３１９の伸びる力により、制御用プラグ端子３１３が差込方向に伸すものであるため、短時間に行われる。
【００８２】
次に、図１４に基づき本実施の形態に係る雄コネクタ３１０において、制御用プラグ端子３１３を縮ませる場合について説明する。尚、制御用プラグ端子３１３が縮んだ状態では、不図示の雌コネクタにおける制御用ジャック端子に設けられたスイッチの接点が閉じた状態から開いた状態となる。
【００８３】
図１４（ａ）は、制御用プラグ端子３１３が伸びている状態における内部構造図であり、図１４（ｂ）は、制御用プラグ端子３１３が伸びている状態における内部斜視図である。図１４（ｃ）は、制御用プラグ端子３１３が伸びている状態から縮んでいる状態に移行する際の中立状態における内部構造図であり、図１４（ｄ）は、制御用プラグ端子３１３が伸びている状態から縮んでいる状態に移行する際の中立状態における内部斜視図である。図１４（ｅ）は、制御用プラグ端子３１３が縮んでいる状態における内部構造図であり、図１４（ｆ）は、制御用プラグ端子３１３が縮んでいる状態における内部斜視図である。
【００８４】
図１４（ａ）、（ｂ）に示すように、制御用プラグ端子３１３が伸びている状態では、図面上、スライドスイッチ３１６は右側に位置しており、制御用プラグ端子リンク３１８も右側に位置している。カム軸３２１は、カム溝３２２内の最も右側に位置しており、Ｕ字部３１７の右側の内部壁面において接している。また、制御用プラグ端子リンク３１８のスライド軸３２３は、スライド溝３２４内の右側に位置しており、先端部３２５は、緩衝溝３２６の右端に接している。この際、コイルバネ３１９は若干縮んだ状態にある。
【００８５】
この後、スライドスイッチ３１６を引抜く方向（左方向）に移動させることにより、図１４（ｃ）、（ｄ）に示す中立状態となる。この中立状態では、スライドスイッチ３１６の移動方向と、コイルバネ３１９の伸縮方向とが垂直となっている。
【００８６】
この状態では、図面上、スライドスイッチ３１６はほぼ中央部に位置し、制御用プラグ端子リンク３１８は、Ｕ字部３１７の右側の内部壁面により、カム軸３２１が左側に押され、カム溝３２２内で左側に移動しほぼ中央部に移動する。この際、先端部３２５も左側に移動するが、緩衝溝３２６内での移動であるため、制御用プラグ端子３１３は、伸びた状態のままである。この状態では、先端部３２５は、緩衝溝３２６の右端に接しており、また、コイルバネ３１９は、図１４（ａ）、（ｂ）に示す状態よりも更に縮んだ状態となっており、コイルバネ３１９の復元力により伝達部３２０を押し上げようとする力が強くなっている。
【００８７】
この後、スライドスイッチ３１６を引抜く方向（左方向）に更に移動させることにより、コイルバネ３１９の復元力により図１４（ｅ）、（ｆ）に示す状態となる。
【００８８】
即ち、コイルバネ３１９が伸びる復元力により、図面上、伝達部３２０を介しカム溝３２２内をカム軸３２１が左方向に移動し、これにより、制御用プラグ端子リンク３１８の先端部３２５を介し、緩衝溝３２６の左端が押され、制御用プラグ端子３１３が差込方向に対し縮むのである。
【００８９】
この状態では、図面上、スライドスイッチ３１６は左側に移動しており、制御用プラグ端子リンク３１８も左側に移動している。また、カム軸３２１は、カム溝３２２内の最も左側に移動しており、Ｕ字部３１７の左側の内部壁面において接している。また、制御用プラグ端子リンク３１８のスライド軸３２３は、スライド溝３２４内の左側に移動し、先端部３２５は、緩衝溝３２６の左端と接している。この際、コイルバネ３１９は、中立状態よりも伸びた状態となっている。
【００９０】
このようにして、制御用プラグ端子３１３を差込方向に対し縮ませることができる。これは、中立状態からのコイルバネ３１９の復元力、即ち、コイルバネ３１９の伸びる力により、制御用プラグ端子３１３が差込方向に対し縮ませるものであるため、短時間に行われる。
【００９１】
ところで、このようなコイルバネ３１９を有しない構成の場合、人の指の力のみで、制御用プラグ端子３１３を差込方向に伸したり縮めたりするが、人によって伸す速度や縮める速度が異なり、遅くなる場合がある。
【００９２】
このような場合、制御用プラグ端子３１３の伸びる速度や縮める速度が遅いことに起因し、この制御用プラグ端子３１３により接続される不図示の雌コネクタの接点において、アークが発生したりチャタリングが発生したりする。このようなアークの発生やチャタリングの発生は、雌コネクタの接点を破損させたり、雄コネクタに接続されている機器を破損させたりするおそれがある。
【００９３】
本実施の形態における雄コネクタ３１０においては、短時間に制御用プラグ端子３１３を伸したり、縮めたりすることができるため、このようなアークの発生やチャタリングの発生を防ぐことができ、雌コネクタの接点の破損や、雄コネクタに接続されている機器の破壊を防止することが可能となる。
【００９４】
次に、図１５に基づき本実施の形態における雄コネクタの機構について、より詳細に説明する。図１５（ａ）は、制御用プラグ端子３１３が縮んでいる状態における雄コネクタの部分的な断面図であり、図１５（ｂ）は、中立状態における雄コネクタの部分的な断面図であり、図１５（ｃ）は、制御用プラグ端子３１３が伸びている状態における雄コネクタの部分的な断面図である。
【００９５】
図１５（ａ）において、図面上、スライドスイッチ３１６を左側に移動させることにより、Ｕ字部３１７の右側の内部壁面よりカム軸３２１が左側に押され、カム軸３２１がカム溝３２２内を左側に移動し、制御用プラグ端子リンク３１８が左側に移動する。この際、カム軸３２１より伝達部３２０を介し、コイルバネ３１９が縮む。尚、本実施の形態における雄コネクタ３１０のコイルバネ３１９は、コイルバネホルダ３２７内に納められており、伝達部３２０に接していない方の端は、コイルバネホルダ３２７の内部において固定されている。また、コイルバネホルダ３２７は、雄コネクタ３１０の筐体と回転軸３２８において回転可能な状態で支持されている。
【００９６】
このようにして、図１５（ｂ）に示す中立状態となる。この状態では、コイルバネ３１９は縮んだ状態であり、伸びる方向への復元力が大きな状態となっている。
【００９７】
この後、スライドスイッチ３１６を更に左側に移動させることにより、コイルバネ３１９の復元力により、伝達部３２０を押し上げ、この力により、カム軸３２１がカム溝３２２内を左側に移動する。この力により、制御用プラグ端子リンク３１８の先端部３２５を介し、制御用プラグ端子３１３が左方向に移動、即ち、制御用プラグ端子３１３が差込方向に伸び、図１５（ｃ）に示す状態となる。
【００９８】
このようにして、短時間で制御用プラグ端子３１３を伸すことができるのである。
【００９９】
同様に、制御用プラグ端子３１３を縮める場合も、コイルバネ３１９の復元力により、中立状態から制御用プラグ端子３１３が縮んだ状態とすることができるため、短時間で制御用プラグ端子３１３を縮めることができる。
【０１００】
尚、本実施の形態では、コイルバネ３１９が縮んでいる状態から伸びる方向に働く復元力を利用して、制御用プラグ端子３１３を伸縮させるものについて説明したが、カム溝３２２の構造等を変えることにより、コイルバネ３１９が伸びた状態から縮む復元力を利用して、同様に制御用プラグ端子３１３の伸縮を行うことも可能である。また、本実施の形態では、コイルバネ３１９を用いたが、同様の作用が得られる弾性体であれば、どのような構成のものであってもよい。
【０１０１】
以上、本実施の形態における雄コネクタについて説明したが、本実施の形態における雄コネクタは、第１の実施の形態における雄コネクタに代えて用いることができるものであり、本実施の形態における雄コネクタと、第１の実施の形態に記載されている雌コネクタ及び第３の実施の形態に記載されている雌コネクタと組み合わせることにより、コネクタとして使用することができるものである。
【０１０２】
尚、上記説明においては、４００ＶＤＣの場合について詳しく説明したが、本発明の実施の形態として記載されている雄コネクタ、雌コネクタ及びコネクタは直流（ＤＣ）であれば、用いることが可能である。特に、直流の場合はＡＣと異なり、人体に安全な周波数というのも存在しないからである。
【０１０３】
また、人体における影響の観点から直流電圧としては、通常は４８Ｖ以下の電圧が用いられている。これは、通常４８Ｖ以下であれば、感電により人体に与える影響が殆どないためであり、このことから、４８Ｖを超える電圧の場合、人体に与える影響は大きく、特に、２００Ｖ以上の電圧は危険である。
【０１０４】
本発明の実施の形態における雄コネクタ、雌コネクタ及びコネクタは、安全性を高めた構成であることから、４８Ｖを超える電圧、更には、２００Ｖ以上の電圧に特に顕著な効果を発揮するものである。即ち、本実施の形態における雄コネクタ、雌コネクタ及びコネクタは、従来とは異なる構成により安全性を高めているため、４８Ｖを超える電圧、更には、２００Ｖ以上の電圧についても安全性が高められているため、特に、顕著な効果を発揮するものである。
【０１０５】
以上、本発明の実施に係る形態について説明したが、上記内容は、発明の内容を限定するものではない。
【図面の簡単な説明】
【０１０６】
【図１】第１の実施の形態におけるコネクタの構成図
【図２】第１の実施の形態におけるコネクタの外観の斜視図
【図３】第１の実施の形態における雌コネクタの構造図
【図４】第１の実施の形態におけるコネクタの内部構造の斜視図
【図５】第１の実施の形態におけるコネクタの制御用プラグ端子が縮んだ状態の斜視図
【図６】第１の実施の形態におけるコネクタの制御用プラグ端子が伸びた状態の斜視図
【図７】第１の実施の形態におけるコネクタを用いた電源供給システムの構成図
【図８】第１の実施の形態におけるコネクタを用いたＰＤＵの斜視図
【図９】第２の実施の形態におけるコネクタの構成図
【図１０】第３の実施の形態における雌コネクタの構成図
【図１１】第４の実施の形態における雄コネクタの外観の斜視図
【図１２】第４の実施の形態における雄コネクタの制御用プラグ端子を伸す場合の説明図
【図１３】第４の実施の形態における雄コネクタの内部構造の斜視図
【図１４】第４の実施の形態における雄コネクタの制御用プラグ端子を縮ませる場合の説明図
【図１５】第４の実施の形態における雄コネクタの内部構造の部分的な断面図
【符号の説明】
【０１０７】
１０    雄コネクタ
１１    電力用プラグ端子（＋）
１２    電力用プラグ端子（−）
１３    制御用プラグ端子
１４    接地用プラグ端子
１５    電源ケーブル
２０    雌コネクタ
２１    電力用ジャック端子（＋）
２２    電力用ジャック端子（−）
２３    制御用プラグ端子
２４    接地用プラグ端子
３１    リレー
３２    リレー
３３    コイル
３４    リレー接点
３５    コイル
３６    リレー接点
３７    制御スイッチ
４０    サーバ等の情報機器
５０    高圧電源
６０    リレー電源
【図１】
2010056056.tif 000003
【図２】
2010056056.tif 000004
【図３】
2010056056.tif 000005
【図４】
2010056056.tif 000006
【図５】
2010056056.tif 000007
【図６】
2010056056.tif 000008
【図７】
2010056056.tif 000009
【図９】
2010056056.tif 000010
【図１０】
2010056056.tif 000011
【図１１】
2010056056.tif 000012
【図１３】
2010056056.tif 000013
【図１５】
2010056056.tif 000014
【図８】
2010056056.tif 000015
【図１２】
2010056056.tif 000016
【図１４】
2010056056.tif 000017